(57)【要約】【課題】  被監視側の信号を通信回線を介して監視側の複数台の監視装置が夫々入手し夫々複数の監視画面の中から選択された監視画面により被監視側の状態を表示する監視システムにおいて、通信回線の負荷を小さくする。【解決手段】  被監視側２の信号を通信回線３を介して監視側１の複数台の監視装置１２１，１２２，１２３が夫々入手し夫々複数の監視画面１〜５の中から選択された監視画面により被監視側２の状態を表示する監視システムにおいて、前記各監視装置１２１，１２２，１２３が同一画面を同時に表示する同一画面同時表示枚数を所定数以内に抑制する。【選択図】図１
2005151139.tif 000002
【特許請求の範囲】
【請求項１】
被監視側の信号を通信回線を介して監視側の複数台の監視装置が夫々入手し夫々複数の監視画面の中から選択された監視画面により被監視側の状態を表示する監視システムにおいて、前記各監視装置が同一画面を同時に表示する同一画面同時表示枚数を所定数以内に抑制することを特徴とする監視システム。
【請求項２】
被監視側の信号を通信回線を介して監視側の複数台の監視装置が夫々入手し夫々複数の監視画面の中から選択された監視画面により被監視側の状態を表示する監視システムにおいて、被監視側が複数の施設で構成されている場合は前記各監視装置が同一信号を同時に表示する信号数を施設毎に所定数以内に抑制することを特徴とする監視システム。
【請求項３】
被監視側の信号を通信回線を介して監視側の複数台の監視装置が夫々入手し夫々複数の監視画面の中から選択された監視画面により被監視側の状態を表示する監視システムにおいて、被監視側が複数の施設で構成されている場合は前記各監視装置が同一信号を同時に表示する動的に表示変更可能な信号数を施設毎に所定数以内に抑制することを特徴とする監視システム。
【請求項４】
請求項１〜請求項３の何れか一に記載の監視システムにおいて、前記所定数を超える場合は前記各監視装置の優先度に応じ優先度が高い監視装置の表示を優先し優先度が低い監視装置の表示は抑制することを特徴とする監視システム。
【請求項５】
請求項１〜請求項４の何れか一に記載の監視システムにおいて、前記抑制を解除できることを特徴とする監視システム。
【発明の詳細な説明】
【技術分野】
【０００１】
この発明は、例えば水処理プラント等の被監視側の信号を通信回線を介して中央管理センタ−等の監視側の複数台の監視装置が夫々入手し、夫々複数の監視画面の中から選択された監視画面により被監視側の状態を表示する監視システムに関するものである。
【背景技術】
【０００２】
プラント等における被監視側の信号を通信回線を介して中央管理センタ−等の監視側の複数台の監視装置が夫々入手し、夫々複数の監視画面の中から選択された監視画面により被監視側の状態を表示する監視システムにおいて、監視装置自体の計算機機能のダウンや画面更新の遅延の防止対策は、例えば特開平３−１２８４９５号公報（特許文献１）等で提案されている。
【０００３】
【特許文献１】３−１２８４９５号公報（第３図及びその説明）
【発明の開示】
【発明が解決しようとする課題】
【０００４】
プラント等の被監視側には通常は監視対象となる施設が複数存在する。一方、監視側には監視装置が複数台設けられ、監視装置では、プランと全体を監視したり、特定の施設を監視したり、同種の複数の施設を監視したりする。例えば、水処理プラントの場合には、被監視側には複数の浄水場やポンプ場があり、監視側の監視装置では複数の浄水場やポンプ場を含むプラント全体の構成図（監視画面）上に、プラント全体を構成する複数の浄水場やポンプ場の各機器の運転状態や水位等を示すアナログ量やアクション情報（動作、不動作、異常、正常などの各機器の動作状態の情報）を表示したり、
ポンプ場等の特定の施設の構成図（監視画面）上に、特定の施設を構成する複数の機器のアナログ量やアクション情報を表示したり、
複数の浄水場等の同種の複数の施設の構成図（監視画面）上に同種の複数の施設を構成する複数の機器のアナログ量やアクション情報を表示したり、
各種の構成図（監視画面）上に、アナログ量やアクション情報を表示する。
【０００５】
また、前記監視装置の表示画面に表示した前記構成図（監視画面）上に、前記施設を構成する複数の機器のアナログ量やアクション情報を表示するために、前記各監視装置は、それぞれ前記複数の被監視側の各施設から、前記施設を構成する複数の機器のアナログ量やアクション情報等の被監視側状態信号を、通信回線を介して入手する。
【０００６】
従って、監視側の各監視装置の何れもが、前記特定の施設の構成図（監視画面）上に、特定の施設の前記アナログ量やアクション情報を表示する場合は、前記通信回線を通る信号の量はそれ程多くはないが、例えば各監視装置の何れもが、プラント全体の構成図（監視画面）上に、プラント全体を構成する複数の浄水場やポンプ場の各機器の運転状態や水位等を示す前記アナログ量やアクション情報を表示する場合には、前記通信回線を通る信号の量は大量であり、通信負荷は極めて大きくなる。
【０００７】
このような被監視側の信号を通信回線を介して監視側の複数台の監視装置が夫々入手し夫々複数の監視画面の中から選択された監視画面により被監視側の状態を表示する監視システムにおいて、前記通信負荷を軽減する一方策として、例えば、プラント全体を構成する複数の浄水場やポンプ場の各機器の運転状態や水位等を示すアナログ量やアクション情報（動作、不動作、異常、正常などの各機器の動作状態の情報）を表示する監視装置を一の監視装置に特定し、特定されない他の監視装置で、プラント全体を構成する複数の浄水場やポンプ場の各機器の運転状態や水位等を示すアナログ量やアクション情報（動作、不動作、異常、正常などの各機器の動作状態の情報）を表示する場合以外の場合の表示をするようにすることも考えられる。
【０００８】
その場合は、例えば、プラント全体を構成する複数の浄水場やポンプ場の各機器の運転状態や水位等を示すアナログ量やアクション情報を表示する監視装置が何らかの原因で表示できなくなった場合には、プラント全体の監視が出来なくなる。また、特定された監視装置によるプラント全体の監視時に、例えば、特定されない他の監視装置の全ても同時に複数の浄水場等の同種の全ての施設の構成図（監視画面）上にアナログ量やアクション情報を表示している場合は、通信回線の負荷が過大になってしまう問題が生じる。
【０００９】
この発明はこのような実情に鑑みてなされたもので、被監視側の信号を通信回線を介して監視側の複数台の監視装置が夫々入手し夫々複数の監視画面の中から選択された監視画面により被監視側の状態を表示する監視システムにおいて、通信回線の負荷を小さくすることを目的とするものである。
【課題を解決するための手段】
【００１０】
この発明に係る監視システムは、被監視側の信号を通信回線を介して監視側の複数台の監視装置が夫々入手し夫々複数の監視画面の中から選択された監視画面により被監視側の状態を表示する監視システムにおいて、前記各監視装置が同一画面を同時に表示する同時表示画面枚数を所定数以内に抑制するものである。
【発明の効果】
【００１１】
この発明は、被監視側の信号を通信回線を介して監視側の複数台の監視装置が夫々入手し夫々複数の監視画面の中から選択された監視画面により被監視側の状態を表示する監視システムにおいて、前記各監視装置が同一画面を同時に表示する同一画面同時表示枚数を所定数以内に抑制するので、被監視側の信号を通信回線を介して監視側の複数台の監視装置が夫々入手し夫々複数の監視画面の中から選択された監視画面により被監視側の状態を表示する監視システムにおける通信回線の負荷を小さくすることができる効果がある。
【発明を実施するための最良の形態】
【００１２】
この発明の実施の形態の事例として、以下の実施の形態１〜実施の形態５の何れも水処理プラントにこの発明を適用した場合について説明する。
【００１３】
実施の形態１．
以下、この発明の実施の形態１を、図１及び図２によって説明する。図１は監視システム全体の構成を示す図、図２はこの発明の実施の形態２の主要部の動作説明をするためのフロ−図である。
【００１４】
図１において、中央監視所などの監視側１は、遠隔地にあるプラント側などの被監視側２の状態信号Ｓ１を広域ネットワ−クなどの通信回線３を介して入手し被監視側２の状態を監視する。
【００１５】
前記中央監視所などの監視側１には、構内ＬＡＮ等の伝送路１１を介して接続されたパ−ソナルコンプ−タなどの複数台の監視装置１２１，１２２，１２３が設置されている。なお、前記監視装置１２１，１２２，１２３の台数は、説明を簡明にするため、３台のみ図示してあるが、実際にはプラントの規模にもよるが前記中央監視所などの監視側１には、各部署に複数台設置されるので、３台より可成り多い相当数の監視装置１２ｎ（図示せず）が存在する場合があり、逆に３台より少ない場合もある。
【００１６】
前記監視装置１２１，１２２，１２３の各記憶装置１２１１，１２２１，１２３１には、同じ内容の監視画面情報のデ−タテ−ブル１２ＤＴ１および同じ内容の表示画面情報のデ−タテ−ブル１２ＤＴ２が保存されている。尚、前記各監視装置１２１，１２２，１２３の、監視画面情報のデ−タテ−ブル１２ＤＴ１の内容は同じであり、また表示画面情報のデ−タテ−ブル１２ＤＴ２の内容は同じであるので、換言すれば、前記各監視装置１２１，１２２，１２３は、前記監視画面情報および前記表示画面情報を共用しているとも言える。
【００１７】
前記監視画面情報のデ−タテ−ブル１２ＤＴ１には、図示のように、監視画面１、監視画面２、監視画面３、監視画面４、監視画面５の夫々に対応して同一画面同時表示枚数が設定されている。この同一画面同時表示枚数の設定は、前記各監視装置１２１，１２２，１２３が同一画面を同時に表示する同一画面同時表示枚数を所定数以内に抑制するために行われる。
【００１８】
具体的には、図において、前記監視画面１の同一画面同時表示枚数は２枚であるので、例えば、前記監視装置１２１で監視画面１を表示している場合には、残りの前記監視装置１２２，１２３のうち１台しか監視画面１を表示することが出来ないように同一画面の同時表示枚数を制限してある。同様に、図において前記監視画面２の同一画面同時表示枚数は１枚であるので、例えば、前記監視装置１２１で監視画面２を表示している場合には、残りの前記監視装置１２２，１２３は監視画面２を表示することが出来ないように同一画面の同時表示枚数を制限してある。以下同様に、前記監視画面３、監視画面４、監視画面５の各々の同一画面同時表示枚数も前述の同一画面の同時表示枚数を所定数以内に抑制するための枚数である。
【００１９】
前記監視画面情報のデ−タテ−ブル１２ＤＴ２には、図示のように、前記監視装置１２１、監視装置１２２、監視装置１２３の夫々に対応して、夫々が表示している表示画面の情報が格納されている。この表示画面情報の前記監視装置１２１、監視装置１２２、監視装置１２３の夫々に対応した格納は、前記監視側１における全監視装置１２１，１２２，１２３が表示している監視画面の枚数を各監視装置１２１，１２２，１２３が把握できるようにするために、各監視装置１２１，１２２，１２３が夫々自己の表示している監視画面の情報を他の全ての監視装置に通知することにより行われる。なお、このように各監視装置１２１，１２２，１２３が夫々自己の表示している監視画面の情報を他の全ての監視装置に通知し、相互に他の監視装置が保有する情報を見えるようにすることは当該情報を透過するともいう。
【００２０】
具体的には、図において、前記監視装置１２１が表示している表示画面は、３つの監視画面、即ち監視画面１，監視画面２，監視画面４であり、前記監視装置１２２が表示している表示画面は、２つの監視画面、即ち監視画面３，監視画面４であり、前記監視装置１２３が表示している表示画面は、１つの監視画面、即ち監視画面１である。
【００２１】
このデ−タテ−ブル１２ＤＴ２から、全監視装置１２１，１２２，１２３が表示している監視画面の枚数は、監視画面１が２枚、監視画面２が１枚、監視画面３が１枚、監視画面４が２枚、監視画面５が０枚であることを、前記監視装置１２１，１２２，１２３は夫々把握できる。
【００２２】
前記監視画面１、監視画面２、監視画面３、監視画面４、監視画面５がどのようなものであるかについては、後述する。
【００２３】
前記遠隔地にあるプラント側などの被監視側２には、監視対象の例えば浄水場等の施設Ａ２１、監視対象の例えばポンプ場等の施設Ｂ２２、監視対象の例えば浄水場等の施設Ｃ２３がある。なお、前記監視対象の施設Ａ２１，Ｂ２２，Ｃ２３の数は３つのみ図示してあるが、実際にはプラントの規模にもよるが前記被監視側２には、３つより多くの施設Ｎ２ｎ（図示せず）が存在する。
【００２４】
前記施設Ａ２１には、コントロ−ラ２１１１，２１１２，２１１３，２１１４に、制御バス２１２を介して接続されたサ−バ２１３、およびパ−ソナルコンプ−タなどの監視装置２１４が設置されている。なお、前記コントロ−ラ２１１１，２１１２，２１１３，２１１４の台数は、４台のみ図示してあるが、実際にはプラントの規模にもよるが４台より多い相当数のコントロ−ラ２１１ｎ（図示せず）が存在する場合があり、逆に４台より少ない場合もある。
【００２５】
前記コントロ−ラ２１１１，２１１２，２１１３，２１１４は、例えば各水量調節バルブ等を制御したり、各水量調節バルブの開度、浄水槽の水位などの施設Ａ２１のプラントの状態等の被監視側２の状態のアナログ量を収集したり、施設Ａ２１のプラントの各種異常等を検出したりする。
【００２６】
前記サ−バ２１３は、前記コントロ−ラ２１１１，２１１２，２１１３，２１１４が収集した施設Ａ２１のプラントの状態等の被監視側２の状態のアナログ量や異常情報を保存するものである。
【００２７】
前記監視装置２１４は、前記サ−バ２１３に保存されているアナログ量や異常情報等により施設Ａ２１のプラントの状態を監視したり、前記コントロ−ラ２１１１，２１１２，２１１３，２１１４の設定値を変更したり、前記コントロ−ラ２１１１，２１１２，２１１３，２１１４に対して上位の運転指令を与えたりするものである。
【００２８】
前記施設Ｂ２２には、コントロ−ラ２２１１，２２１２，２２１３，２２１４に、制御バス２２２を介して接続されたサ−バ２２３、およびパ−ソナルコンプ−タなどの監視装置２２４が設置されている。なお、前記コントロ−ラ２２１１，２２１２，２２１３，２２１４の台数は、４台のみ図示してあるが、実際にはプラントの規模にもよるが４台より多い相当数のコントロ−ラ２２１ｎ（図示せず）が存在する場合があり、逆に４台より少ない場合もある。
【００２９】
前記コントロ−ラ２２１１，２２１２，２２１３，２２１４は、例えば各ポンプ等を制御したり、各ポンプの水量などの施設Ｂ２２のプラントの状態等の被監視側２の状態のアナログ量を収集したり、施設Ｂ２２のプラントの各種異常等を検出したりする。
【００３０】
前記サ−バ２２３は、前記コントロ−ラ２２１１，２２１２，２２１３，２２１４が収集した施設Ｂ２２のプラントの状態等の被監視側２の状態のアナログ量や異常情報を保存するものである。
【００３１】
前記監視装置２２４は、前記サ−バ２２３に保存されているアナログ量や異常情報等により施設Ｂ２２のプラントの状態を監視したり、前記コントロ−ラ２２１１，２２１２，２２１３，２２１４の設定値を変更したり、前記コントロ−ラ２２１１，２２１２，２２１３，２２１４に対して上位の運転指令を与えたりするものである。
【００３２】
前記施設Ｃ２３には、コントロ−ラ２３１１，２３１２，２３１３，２３１４に、制御バス２３２を介して接続されたサ−バ２３３、およびパ−ソナルコンプ−タなどの監視装置２３４が設置されている。なお、前記コントロ−ラ２３１１，２３１２，２３１３，２３１４の台数は、４台のみ図示してあるが、実際にはプラントの規模にもよるが４台より多い相当数のコントロ−ラ２３１ｎ（図示せず）が存在する場合があり、逆に４台より少ない場合もある。
【００３３】
前記コントロ−ラ２３１１，２３１２，２３１３，２３１４は、例えば各水量調節バルブ等を制御したり、各水量調節バルブの開度、浄水槽の水位などの施設Ｃ２３のプラントの状態等の被監視側２の状態のアナログ量を収集したり、施設Ｃ２３のプラントの各種異常等を検出したりする。
【００３４】
前記サ−バ２３３は、前記コントロ−ラ２３１１，２３１２，２３１３，２３１４が収集した施設Ｃ２３のプラントの状態等の被監視側２の状態のアナログ量や異常情報を保存するものである。
【００３５】
前記監視装置２３４は、前記サ−バ２３３に保存されているアナログ量や異常情報等により施設Ｃ２３のプラントの状態を監視したり、前記コントロ−ラ２３１１，２３１２，２３１３，２３１４の設定値を変更したり、前記コントロ−ラ２３１１，２３１２，２３１３，２３１４に対して上位の運転指令を与えたりするものである。
【００３６】
なお、前記監視画面情報のデ−タテ−ブル１２ＤＴ１および前記表示画面情報のデ−タテ−ブル１２ＤＴ２における前記監視画面１は、例えば、前記施設Ａ２１に対応するプラントの構成図と前記施設Ｂ２２に対応するプラントの構成図とを一画面に表示する画面である。
【００３７】
また、前記デ−タテ−ブル１２ＤＴ１および前記デ−タテ−ブル１２ＤＴ２における前記監視画面２は、例えば、前記施設Ａ２１に対応するプラントの構成図と前記施設Ｂ２２に対応するプラントの構成図と前記施設Ｃ２３に対応するプラントの構成図とを一画面に表示する画面である。この監視画面２は、プラント全体の構成図を一画面に表示する画面であるので、そのデ−タ量は最も多い。従って、同一画面を同時に表示できる同一画面同時表示枚数は最も少ない「１」としてある。
【００３８】
また、前記デ−タテ−ブル１２ＤＴ１および前記デ−タテ−ブル１２ＤＴ２における前記監視画面３は、例えば、前記施設Ｃ２３に対応するプラントの構成図と前記施設Ｂ２２に対応するプラントの構成図とを一画面に表示する画面である。
【００３９】
また、前記デ−タテ−ブル１２ＤＴ１および前記デ−タテ−ブル１２ＤＴ２における前記監視画面４は、例えば、前記施設Ａ２１に対応するプラントの構成図を一画面に表示する画面である。この監視画面４は、前記監視画面１〜３に比べ、そのデ−タ量は少ない。従って、同一画面を同時に表示できる同一画面同時表示枚数は最も多い「３」としてある。
【００４０】
また、前記デ−タテ−ブル１２ＤＴ１および前記デ−タテ−ブル１２ＤＴ２における前記監視画面５は、例えば、前記施設Ｃ２３に対応するプラントの構成図を一画面に表示する画面である。この監視画面５は、前記監視画面１〜３に比べ、そのデ−タ量は少ない。従って、同一画面を同時に表示できる同一画面同時表示枚数は最も多い「３」としてある。
【００４１】
次に、前述の監視システムの主要動作について、図２により、図１を参照しながら説明する。
【００４２】
監視側１の例えば監視装置１２１（図１参照）において、監視画面を表示するための操作が行われた場合（ステップＳＴ２１）、監視装置１２１は、自己の記憶装置１２１１（図１参照）に保存されている監視画面情報のデ−タテ−ブル１２ＤＴ１（図１参照）から、表示しようとしている監視画面の同一画面同時表示枚数を取得する（ステップＳＴ２２）。
【００４３】
また、監視装置１２１は、自己の記憶装置１２１１に保存されている表示画面情報のデ−タテ−ブル１２ＤＴ２（図１参照）から、表示しようとしている監視画面の表示枚数を取得する（ステップＳＴ２３）。
【００４４】
次いで、監視装置１２１は、ステップＳＴ２２の同一画面同時表示枚数Ｎ１と、ステップＳＴ２３の表示枚数Ｎ２とを比較した結果、Ｎ１≧Ｎ２＋１であるかどうか判定する（ステップＳＴ２４）。なお、Ｎ１≧Ｎ２＋１における＋１は、監視装置１２１において自身が表示しようとしている監視画面の表示枚数（１枚）を加えることを意味する。
【００４５】
前記ステップＳＴ２４において、Ｎ１≧Ｎ２＋１が成立した場合は、監視装置１２１は、表示する監視画面の情報を、他の監視装置１２２，１２３（図１参照）に送信する（ステップＳＴ２５）と共に、当該監視画面を自己の表示画面に表示する（ステップＳＴ２６）。
【００４６】
なお、図示してないが、Ｎ１≧Ｎ２＋１が成立した場合は、当該監視装置１２１は、表示する監視画面に表示するプラント各部（被監視側２の各部）の状態情報を被監視側２（図１参照）のサ−バ２１３，２２３，２３３（図１参照）から通信回線３（図１参照）を介して入手し、当該監視画面上に表示する。
【００４７】
前述の監視画面およびプラント各部（被監視側２の各部）の状態情報の監視画面上への表示が行われると、前記監視画面を表示するための操作に基づく前記監視装置１２１の表示動作は終了する（ステップＳＴ２７）。
【００４８】
前記ステップＳＴ２４において、Ｎ１≧Ｎ２＋１が成立しなかった場合は、前記監視装置１２１は、前記表示しようとしている監視画面の表示を行わない。即ち、同一画面同時表示枚数が所定数以内に抑制される。また、図示してないが、Ｎ１≧Ｎ２＋１が成立しなかった場合は、当該監視装置は、表示する監視画面に表示するプラント各部（被監視側２の各部）の状態情報を被監視側２のサ−バ２１３，２２３，２３３から通信回線３を介して入手することはしない。
【００４９】
また、例えば監視装置１２３（図１参照）において、監視画面を表示するための操作が行われた場合（ステップＳＴ２１）、監視装置１２３は、自己の記憶装置１２３１（図１参照）に保存されている監視画面情報のデ−タテ−ブル１２ＤＴ１（図１参照）から、表示しようとしている監視画面の同一画面同時表示枚数を取得する（ステップＳＴ２２）。
【００５０】
また、監視装置１２３は、自己の記憶装置１２３１に保存されている表示画面情報のデ−タテ−ブル１２ＤＴ２（図１参照）から、表示しようとしている監視画面の表示枚数を取得する（ステップＳＴ２３）。
【００５１】
次いで、監視装置１２３は、ステップＳＴ２２の同一画面同時表示枚数Ｎ１と、ステップＳＴ２３の表示枚数Ｎ２とを比較した結果、Ｎ１≧Ｎ２＋１であるかどうか判定する（ステップＳＴ２４）。なお、Ｎ１≧Ｎ２＋１における＋１は、監視装置１２３において自身が表示しようとしている監視画面の表示枚数（１枚）を加えることを意味する。
【００５２】
前記ステップＳＴ２４において、Ｎ１≧Ｎ２＋１が成立した場合は、監視装置１２３は、表示する監視画面の情報を、他の監視装置１２１，１２２（図１参照）に送信する（ステップＳＴ２５）と共に、当該監視画面を自己の表示画面に表示する（ステップＳＴ２６）。
【００５３】
なお、図示してないが、Ｎ１≧Ｎ２＋１が成立した場合は、当該監視装置１２３は、表示する監視画面に表示するプラント各部（被監視側２の各部）の状態情報を被監視側２（図１参照）のサ−バ２１３，２２３，２３３（図１参照）から通信回線３（図１参照）を介して入手し、当該監視画面上に表示する。
【００５４】
前述の監視画面およびプラント各部（被監視側２の各部）の状態情報の監視画面上への表示が行われると、前記監視画面を表示するための操作に基づく前記監視装置１２３の表示動作は終了する（ステップＳＴ２７）。
【００５５】
前記ステップＳＴ２４において、Ｎ１≧Ｎ２＋１が成立しなかった場合は、前記監視装置１２３は、前記表示しようとしている監視画面の表示を行わない。即ち、同一画面同時表示枚数が所定数以内に抑制される。また、図示してないが、Ｎ１≧Ｎ２＋１が成立しなかった場合は、当該監視装置は、表示する監視画面に表示するプラント各部（被監視側２の各部）の状態情報を被監視側２のサ−バ２１３，２２３，２３３から通信回線３を介して入手することはしない。
【００５６】
監視装置１２２も、前述の監視装置１２１および監視装置１２３の各動作と同様に動作する。
【００５７】
具体的には、図１において、例えば、監視装置１２１が、監視画面１，監視画面２，監視画面４以外に監視画面３も表示するように操作されると、当該監視装置１２１は、自己の保存している監視画面情報のデ−タテ−ブル１２ＤＴ１と表示画面情報のデ−タテ−ブル１２ＤＴ１とを照合する。この照合の結果、デ−タテ−ブル１２ＤＴ１における監視画面３の同一画面同時表示枚数が２であり、また、デ−タテ−ブル１２ＤＴ２における全監視装置１２１，１２２，１２３に表示されている監視画面３の枚数が１（監視装置１２２のみで表示している）であることから、即ち前記Ｎ１≧Ｎ２＋１が成立するので、当該監視装置１２１には、当該監視画面３の表示が行われ、併せて、当該監視画面３に対応するプラント各部（被監視側２の各部）の状態情報が当該監視画面３上に表示される。
【００５８】
なお、前記監視画面１上には当該監視画面１に対応するプラント各部（被監視側２の各部）の状態情報が表示され、前記監視画面２上には当該監視画面２に対応するプラント各部（被監視側２の各部）の状態情報が表示され、前記監視画面４上には当該監視画面４に対応するプラント各部（被監視側２の各部）の状態情報が表示される。また、前記監視画面１、監視画面２、監視画面３、監視画面４は、一画面上に択一的に表示されるが、監視領域が最も広い監視画面２は最も大きな画面とし、監視領域の最も狭い監視画面４は最も小さな画面として、前記監視画面１、監視画面２、監視画面３、監視画面４の全部を一画面上に表示してもよい。
【００５９】
また、図１において、例えば、前記監視装置１２３が監視画面１以外に監視画面２も表示するように操作されると、前記監視装置１２３は、自己の保存している監視画面情報のデ−タテ−ブル１２ＤＴ１と表示画面情報のデ−タテ−ブル１２ＤＴ１とを照合する。この照合の結果、デ−タテ−ブル１２ＤＴ１における監視画面２の同一画面同時表示枚数が１であり、また、デ−タテ−ブル１２ＤＴ２における全監視装置１２１，１２２，１２３に表示されている監視画面２の枚数が１（監視装置１２１で表示している）であることから、即ち前記Ｎ１≧Ｎ２＋１が成立しないので、当該監視装置１２３には、当該監視画面２の表示は行われない。なお、当該監視画面２の表示が行われない場合は、「監視画面２は監視装置１２１で表示中」等の旨を画面に表示し、即ち他の監視装置で表示中である旨を画面に表示（図示は省略してある）し、操作員に当該監視画面２の表示が行われない理由を把握できるようにしてある。
【００６０】
また、同様に、例えばプラント全体を管理する部門が監視装置１２４（図示は省略してある）を操作して監視画面１，監視画面２，監視画面３，監視画面４，監視画面５の全てを表示しようとした場合は、監視画面情報のデ−タテ−ブル１２ＤＴ１と表示画面情報のデ−タテ−ブル１２ＤＴ２とを照合し、監視画面１については監視装置１２１と監視装置１２３とが表示中であり既に制限枚数２（同一画面同時表示枚数２）に達しているので当該監視装置１２４（図示は省略してある）での表示は行われない。同様に、監視画面２については監視装置１２１で表示中であり既に制限枚数１（同一画面同時表示枚数１）に達しているので当該監視装置１２４（図示は省略してある）での表示は行われない。監視画面３については監視装置１２２が表示しているのみであり制限枚数２（同一画面同時表示枚数２）に達していないので当該監視装置１２４（図示は省略してある）での表示は行われ、当該監視画面３に対応するプラント各部（被監視側２の各部）の状態情報も当該監視画面３上に表示される。同様に、監視画面４については監視装置１２１，１２２が表示しているのみであり制限枚数３（同一画面同時表示枚数３）に達していないので当該監視装置１２４（図示は省略してある）での表示は行われ、当該監視画面４に対応するプラント各部（被監視側２の各部）の状態情報も当該監視画面４上に表示される。表示画面５については監視装置１２１，１２２，１２３の何れも表示しておらず制限枚数３（同一画面同時表示枚数３）に達していないので当該監視装置１２４（図示は省略してある）での表示は行われ、当該監視画面５に対応するプラント各部（被監視側２の各部）の状態情報も当該監視画面５上に表示される。なお、監視画面１および監視画面２の表示が、他の監視装置で表示中であり制限枚数（同一画面同時表示枚数）の関係で行われないので、「監視画面１および監視画面２は他の監視装置で表示中」等の旨が画面に表示される。
【００６１】
この発明の実施の形態１は、前述のように構成され、前述のように動作するので、概念的には、被監視側２の信号を通信回線３を介して監視側１の複数台の監視装置１２１，１２２，１２３，・・・１２ｎが夫々入手し夫々複数の監視画面の中から選択された監視画面により被監視側２の状態を表示する監視システムにおいて、前記各監視装置１２１，１２２，１２３，・・・１２ｎが同一画面を同時に表示する同一画面同時表示枚数を所定数以内に抑制する監視システムであると言える。
【００６２】
また、前述のこの発明の実施の形態１の概念を換言すると、監視側１の監視装置１２１，１２２，１２３，・・・１２ｎにどの監視画面を表示しているかの情報を複数の監視装置１２１，１２２，１２３，・・１２ｎで透過し、複数の監視装置１２１，１２２，１２３，・・・１２ｎ間で同時に表示する同一監視画面の枚数を監視画面毎に所定数以内に抑制することにより、通信回線３の通信負荷を軽減しつつ通信負荷を増加させる監視画面（被監視側の施設を表示する領域が広い監視画面）の表示を抑制する機能を備えた通信回線利用の監視システムであるとも言える。
【００６３】
前述のこの発明の実施の形態１の監視システムは、その監視装置１２１，１２２，１２３，・・・１２ｎが例えば無人の施設（例えば施設ｎ２ｎ（図示せず））の各種機器を遠隔制御したり前述の各施設Ａ２１，施設Ｂ２２，施設Ｃ２３を最上位の制御機能として制御したりする場合もあるので、その場合は監視制御システムでもあると言える。
【００６４】
この発明の実施の形態１においては、前述のように、被監視側２の信号を通信回線３を介して監視側１の複数台の監視装置、即ち監視装置１２１，１２２，１２３，・・１２ｎ、が夫々入手し夫々複数の監視画面、即ち監視画面１，監視画面２，監視画面３，監視画面４，監視画面５、の中から選択された監視画面により被監視側２の状態を表示する監視システムにおいて、前記各監視装置１２１，１２２，１２３，・・・１２ｎが同一画面を同時に表示する同一画面同時表示枚数が所定数、即ち監視画面１は同一画面同時表示枚数が所定数の２、監視画面２は同一画面同時表示枚数が所定数の１、監視画面３は同一画面同時表示枚数が所定数の２、監視画面４は同一画面同時表示枚数が所定数の３、監視画面５は同一画面同時表示枚数が所定数の３、に制限されているので、それら監視画面上に表示される対応プラントの各部（被監視側２の各部）の状態情報の量も制限され、前記被監視側２のサ−バ２１３，２２３，２３３から前記監視側の監視装置１２１，１２２，１２３，・・１２ｎに読み出される対応プラントの各部（被監視側２の各部）の状態情報が前記通信回線３を通る量が減り、前記通信回線３の通信負荷は軽減される。
【００６５】
また、前記監視画面１，監視画面２，監視画面３，監視画面４，監視画面５の枚数は、監視領域が最も広い、即ち対応プラントの各部（被監視側２の各部）の状態情報の量が最も多い監視画面２の所定枚数を１と最も小さくしてあるので、また、対応プラントの各部（被監視側２の各部）の状態情報の量が最も少ない監視画面４，監視画面５の所定枚数を３と最も大きくしてあるので、通信回線３の通信負荷を増加させずに監視画面の表示を行わせることが可能となる。また、監視装置１２１，１２２，１２３の何れかが故障しても、故障していない他の監視装置１２１，１２２，１２３により、プラント全体を対象とする監視画面を表示することが可能となる。これに対し、従来の監視システムでは、前述のように、プラント全体を対象とする監視画面を表示する監視装置は特定されており、特定されていない監視装置ではプラント全体を対象とする監視画面を表示することは出来ないので、当該特定された監視装置が故障した場合は、プラント全体を対象とする監視画面（当該監視画面上に表示される被監視側の状態情報の量は最も多い）は表示することが出来ないうえ、プラント全体を対象とする監視画面を見たい場合は、前記特定された監視装置が在る場所まで、監視員が移動しなければならない。
【００６６】
実施の形態２．
以下この発明の実施の形態２を、図３及び図４によって説明する。図３は監視システム全体の構成を示す図、図４はこの発明の実施の形態２の主要部の動作説明をするためのフロ−図である。なお、図３において、前述の図１と同一または相当部分には同一符号を付してある。また、図３についての以下の説明は、図１と同一または相当部分については割愛し、主として、図１と異なる部分について説明する。
【００６７】
この発明の実施の形態２は、図３に示すように、監視装置１２１の監視画面情報のデ−タテ−ブル１２ＤＴ３に、各監視画面に対応している施設毎の当該施設の状態情報である信号の数を各監視画面１，監視画面２，監視画面４，監視画面５に対応して登録してある。この登録されている信号数は以下「登録信号数」と記す。なお、通常は施設毎に表示する信号（当該施設の各部の水位や温度などのアナログ量や「開」「閉」「ＯＮ」「ＯＦＦ」などのアクション情報）は決まっているので、前記登録信号数は容易に設定できる。
【００６８】
前記デ−タテ−ブル１２ＤＴ３は、前述の図１における監視画面情報のデ−タテ−ブル１２ＤＴ１に追加したものであってもよく、また、当該デ−タテ−ブル１２ＤＴ１とは別に設けたものであってもよい。
【００６９】
この発明の実施の形態２では、図３に示すように、更に、最大信号表示数のデ−タテ−ブル１２ＤＴ４を設けてある。この最大信号表示数のデ−タテ−ブル１２ＤＴ４は、各施設（即ち、施設Ａ２１，施設Ｂ２２，施設Ｃ２３）毎に、各信号（即ち、この実施の形態では信号Ｘ，信号Ｙと例示してある）を所定数以内に抑制する最大信号表示数を設定してあるものである。
【００７０】
次に、前述の監視システムの主要動作について、図４により、図３を参照しながら説明する。
【００７１】
監視側１の例えば監視装置１２１（図３参照）において、監視画面を表示するための操作が行われた場合（ステップＳＴ４１）、デ−タテ−ブル１２ＤＴ２（図３参照）に保存されている表示画面情報及びデ−タテ−ブル１２ＤＴ３（図３参照）に保存されている監視画面情報から、表示している監視画面の施設毎の信号数を計算して取得する（ステップＳＴ４２）。
【００７２】
次に、監視装置１２１は、前記ステップＳＴ４２で取得した値に、自己の監視装置１２１で表示しようとしている監視画面の施設毎の信号数を追加する（ステップＳＴ４３）。
【００７３】
次いで、監視装置１２１は、前記ステップＳＴ４３で計算した施設毎の信号数が何れも、デ−タテ−ブル１２ＤＴ４（図３参照）に保存されている最大信号表示数以内であるかどうか判定する（ステップＳＴ４４）。
【００７４】
前記ステップＳＴ４４における判定の結果、前記ステップＳＴ４３で計算した施設毎の信号数が何れも前記最大信号表示数以内である場合は、監視装置１２１は、表示する信号情報を、他の監視装置１２２，１２３（図３参照）に送信する（ステップＳＴ４５）と共に、自己の表示画面に表示する（ステップＳＴ４６）。
【００７５】
なお、図示してないが、前記ステップＳＴ４４における判定の結果、前記ステップＳＴ４３で計算した施設毎の信号数が何れも前記最大信号表示数以内である場合は、当該監視装置１２１は、表示する監視画面に表示するプラント各部（被監視側２の各部）の状態情報の信号を被監視側２（図３参照）のサ−バ２１３，２２３，２３３（図３参照）から通信回線３（図３参照）を介して入手し、当該監視画面上に表示する。
【００７６】
前述の監視画面およびプラント各部（被監視側２の各部）の状態情報信号の監視画面上への表示が行われると、前記監視画面を表示するための操作に基づく前記監視装置１２１の表示動作は終了する（ステップＳＴ４７）。
【００７７】
前記ステップＳＴ４４における判定の結果、前記ステップＳＴ４３で計算した施設毎の信号数の何れかが前記最大信号表示数を超えた場合は、前記監視装置１２１は、前記表示しようとしている監視画面の表示を行わない。即ち、同一信号を同時に表示する信号数が所定数以内に抑制される。
【００７８】
なお、監視装置１２２および監視装置１２３も、前述の監視装置１２１の動作と同じ動作をする。
【００７９】
具体的には、図３において、例えば、監視装置１２１が、表示画面情報のデ−タテ−ブル１２ＤＴ２における現在の表示画面情報（即ち、監視画面１，監視画面２，監視画面４）以外に、監視画面３も表示するように操作されると、監視装置１２１は、デ−タテ−ブル１２ＤＴ３に登録されている監視画面１，監視画面２，監視画面４の登録信号数の合計に、監視画面情報のデ−タテ−ブル１２ＤＴ３に登録されている監視画面３の登録信号数を加算する。
【００８０】
この加算の結果、施設Ａ２１については、
信号Ｘの登録信号数の合計は（５０＋１００＋１００）＋２００＝４５０となり、
信号Ｙの登録信号数の合計は（６０＋１２０＋８０）＋３４０＝６００となる。
【００８１】
また、前記加算の結果、施設Ｂ２２については、
信号Ｘの登録信号数の合計は（３０＋６０＋０）＋０＝９０となり、
信号Ｙの登録信号数の合計は（２０＋４０＋０）＋０＝６０となる。
【００８２】
また、前記加算の結果、また、施設Ｃ２３については、
信号Ｘの登録信号数の合計は、（４０＋６０＋０）＋０＝１００となり、
信号Ｙの登録信号数の合計は、（５０＋１００＋０）＋０＝１５０となる。
【００８３】
一方、最大信号表示数のデ−タテ−ブル１２ＤＴ４に設定されている最大信号表示数は、  施設Ａ２１については、
信号Ｘの場合は４００であり、
信号Ｙの場合は６００である。
【００８４】
施設Ｂ２２については、
信号Ｘの場合は２００であり、
信号Ｙの場合は３００である。
【００８５】
施設Ｃ２３については、
信号Ｘの場合は１００であり、
信号Ｙの場合は２００である。
【００８６】
従って、施設Ａ２１については、
信号Ｘは、合計値４５０が最大信号表示数４００を超えることになり、
信号Ｙは、合計値６００が最大信号表示数６００以内である。
【００８７】
また、施設Ｂ２２については、
信号Ｘは、合計値９０が最大信号表示数２００以内であり、
信号Ｙも、合計値６０が最大信号表示数３００以内である。
また、施設Ｃ２３については、
信号Ｘは、合計値１００が最大信号表示数１００以内であり、
信号Ｙも、合計値１５０が最大信号表示数２００以内である。
【００８８】
前述のように、監視装置１２１が、表示画面情報のデ−タテ−ブル１２ＤＴ２における現在の表示画面情報（即ち、監視画面１，監視画面２，監視画面４）以外に、監視画面３を追加表示するように操作されると、施設Ａ２１については、信号Ｘは、合計値４５０が最大信号表示数４００を超えることになるので、監視画面３は表示されない。また、監視装置１２１は、監視画面３に対応する被監視側２からその状態情報を読み出すことはしない。従って、通信回線３の通信負荷は増加することなく所定範囲内に抑えることができる。なお、当該監視画面３の表示が行われない場合は、「施設Ａ２１の信号Ｘの合計値が最大信号表示数を超えている」等の旨を画面に表示（図示は省略してある）し、操作員に当該監視画面２の表示が行われない理由を把握できるようにしてある。
【００８９】
なお、前述の図１及び図２に例示したこの発明の実施の形態１の場合は、前述のように、監視装置１２１が、監視画面１，監視画面２，監視画面４以外に監視画面３も表示するように操作されると、当該監視装置１２１は、自己の保存している監視画面情報のデ−タテ−ブル１２ＤＴ１と表示画面情報のデ−タテ−ブル１２ＤＴ１とを照合する。この照合の結果、デ−タテ−ブル１２ＤＴ１における監視画面３の同一画面同時表示枚数が２であり、また、デ−タテ−ブル１２ＤＴ２における全監視装置１２１，１２２，１２３に表示されている監視画面３の枚数が１（監視装置１２２のみで表示している）であることから、即ち前記Ｎ１≧Ｎ２＋１が成立するので、当該監視装置１２１には、当該監視画面３の表示が行われ、併せて、当該監視画面３に対応するプラント各部（被監視側２の各部）の状態情報が当該監視画面３上に表示される。
【００９０】
これに対し、図３及び図４に例示したこの発明の実施の形態２の場合は、前述のように、監視装置１２１が、監視画面１，監視画面２，監視画面４以外に監視画面３も表示するように操作されると、施設Ａ２１については、信号Ｘは、合計値４５０が最大信号表示数４００を超えることになるので、監視画面３は表示されない。また、監視装置１２１は、監視画面３に対応する被監視側２からその状態情報を読み出すことはしない。
【００９１】
つまり、図３及び図４に例示したこの発明の実施の形態２の方が、前述の図１及び図２に例示したこの発明の実施の形態１より、通信回線の通信負荷を所定内に綿密に抑制できる。
【００９２】
また、この発明の実施の形態２によれば、各施設（即ち、施設Ａ２１，施設Ｂ２２，施設Ｃ２３）と各監視装置（即ち、監視装置１２１，監視装置１２２，監視装置１２３）とを接続する通信回線の種類により、特定の施設との通信回線の通信負荷を小さくする必要がある場合、最大信号表示数のデ−タテ−ブル１２ＤＴ４における当該特定施設の最大信号表示数を小さな値に設定することにより対応することができる。
【００９３】
なお、プラント等の被監視側２の規模が大きい場合は、施設の数も多く、通信回線も古い通信回線や新しい通信回線、通信プロトコルも含め高機能の通信回線や低機能の通信回線が混在する場合が混在する場合もある。このような場合は、前述のこの発明の実施の形態１およびこの発明の実施の形態２の双方を使用することにより、柔軟に対応できる。
【００９４】
実施の形態３．
以下この発明の実施の形態３を、図５及び図６によって説明する。図５は監視システム全体の構成を示す図、図６はこの発明の実施の形態３の主要部の動作説明をするためのフロ−図である。なお、図５において、前述の図１及び図３と同一または相当部分には同一符号を付してある。また、図５及び図６についての以下の説明は、図１〜図４と同一または相当部分については割愛し、主として、図１〜図４と異なる部分について説明する。
【００９５】
この発明の実施の形態３は、前述のこの発明の実施の形態２に、動的に表示信号を変更する機能を追加する場合の事例である。なお、以下に記載のこの発明の実施の形態３の事例は、前記追加機能についてのみ例示する。
【００９６】
プラント等の被監視側の状態を監視する場合、前述の監視画面に表示される各種信号の中には、必要に応じて変更できる方が好ましいものもある。この発明の実施の形態３は、このような変更可能な信号に対して、動的に表示信号を変更する場合に、当該変更に所定の制限を行う事例である。
【００９７】
即ち、この発明の実施の形態３は、前述の実施の形態２に、図３に示すような変更可能な信号を対象とした表示画面情報のデ−タテ−ブル１２ＤＴ５および変更可能な信号を対象とした最大信号表示数のデ−タテ−ブル１２ＤＴ６を追加するものである。
【００９８】
前記表示画面情報のデ−タテ−ブル１２ＤＴ５は、図示のように、各監視装置（即ち、監視装置１，監視装置２，監視装置３）毎に、表示中および表示しようとしている各表示画面（即ち、表示画面１，表示画面２，表示画面３，表示画面４）に表示中および表示しようとしている変更可能な信号（即ち信号ｘ，信号ｙ）の数を各施設（即ち、施設Ａ２１，施設Ｂ２２，施設Ｃ２３）に対応して格納してあるものである。
【００９９】
なお、このデ−タテ−ブル１２ＤＴ５への前記表示中および表示しようとしている変更可能な信号（即ち信号ｘ，信号ｙ）の数の格納は、前述のこの発明の実施の形態１と同様に、表示中および表示しようとしている変更可能な信号（即ち信号ｘ，信号ｙ）を、各監視装置（即ち、監視装置１，監視装置２，監視装置３）間で透過することにより行われる。
【０１００】
前記最大信号表示数のデ−タテ−ブル１２ＤＴ６は、図示のように、各施設（即ち、施設Ａ２１，施設Ｂ２２，施設Ｃ２３）毎に、変更可能な各信号（即ち、信号ｘ，信号ｙ）を所定数以内に抑制する最大信号表示数を設定してあるものである。
【０１０１】
なお、前記表示画面情報のデ−タテ−ブル１２ＤＴ５は、前述の図３における前記表示画面情報のデ−タテ−ブル１２ＤＴ２に追加したものであってもよく、また、当該デ−タテ−ブル１２ＤＴ２とは別に設けたものであってもよい。同様に、前記最大信号表示数のデ−タテ−ブル１２ＤＴ６は、前述の図３における前記最大信号表示数のデ−タテ−ブル１２ＤＴ４に追加したものであってもよく、また、当該デ−タテ−ブル１２ＤＴ４とは別に設けたものであってもよい。
【０１０２】
次に、前述の監視システムの主要動作について、図６により、図５を参照しながら説明する。
【０１０３】
監視側１の例えば監視装置１２１（図５参照）において、表示する信号の変更操作が行われた場合（ステップＳＴ６１）、デ−タテ−ブル１２ＤＴ５（図５参照）に保存されている画面情報および表示信号情報から、表示している監視画面の施設毎の信号数を計算して取得する（ステップＳＴ６２）。
【０１０４】
次に、監視装置１２１は、前記ステップＳＴ６２で取得した値に、自己の監視装置１２１で表示しようとしている監視画面の施設毎の信号数を追加する（ステップＳＴ６３）。
【０１０５】
次いで、監視装置１２１は、前記ステップＳＴ６３で計算した施設毎の信号数が何れも、デ−タテ−ブル１２ＤＴ４（図５参照）に保存されている最大信号表示数以内であるかどうか判定する（ステップＳＴ６４）。
【０１０６】
前記ステップＳＴ６４における判定の結果、前記ステップＳＴ６３で計算した施設毎の信号数が何れも前記最大信号表示数以内である場合は、監視装置１２１は、表示する信号情報を、他の監視装置１２２，１２３（図３参照）に送信する（ステップＳＴ６５）と共に、自己の表示画面に表示する信号の変更を行う（ステップＳＴ６６）。
【０１０７】
前述の自己の表示画面に表示する信号の変更が行われると、表示する信号を変更するための操作に基づく前記監視装置１２１の信号変更の動作は終了する（ステップＳＴ６７）。
【０１０８】
前記ステップＳＴ６４における判定の結果、前記ステップＳＴ６３で計算した施設毎の信号数の何れかが前記最大信号表示数を超えた場合は、前記監視装置１２１は、前記表示しようとしている信号の変更は行わない。即ち、前記各監視装置が同一信号を同時に表示する動的に表示変更可能な信号数が施設毎に所定数以内に抑制され、表示信号の変更に伴う通信負荷の増加を抑制できる。
【０１０９】
なお、監視装置１２２および監視装置１２３も、前述の監視装置１２１の動作と同じ動作をする。
【０１１０】
この発明の実施の形態３における更に具体的な説明は、この発明の実施の形態２における前述の具体的説明（段落番号００７８〜００９２）と同等であるので、省略する。
【０１１１】
この発明の実施の形態３においては、前述のように、被監視側２の信号を通信回線３を介して監視側１の複数台の監視装置、即ち監視装置１２１，１２２，１２３，・・１２ｎ、が夫々入手し夫々複数の監視画面、即ち監視画面１，監視画面２，監視画面３，監視画面４，監視画面５、の中から選択された監視画面により被監視側２の状態を表示する監視システムにおいて、被監視側が複数の施設（例えば、施設Ａ２１，施設Ｂ２２，施設Ｃ２３）で構成されている場合は前記各監視装置が同一信号を同時に表示する動的に表示変更可能な信号（例えば、信号ｘ，信号ｙ）の数が施設毎に所定数以内に抑制されるので、表示信号の変更に伴う通信負荷の増加を抑制できる。
【０１１２】
実施の形態４．
以下この発明の実施の形態４を、監視システム全体の構成を示す図７によって説明する。なお、図７において、前述の図１と同一または相当部分には同一符号を付してある。また、図７についての以下の説明は、図１〜図６と同一または相当部分については割愛し、主として、図１〜図６と異なる部分について説明する。
【０１１３】
この発明の実施の形態４は、前述のこの発明の実施の形態１〜３に、前記所定数を超える場合は前記各監視装置の優先度に応じ優先度が高い監視装置の表示を優先し優先度が低い監視装置の表示は抑制する機能を追加する場合の事例である。
【０１１４】
この発明の実施の形態４は、図７に示すように、前述の図１における監視画面情報のデ−タテ−ブル１２ＤＴ１及び表示画面情報のデ−タテ−ブル１２ＤＴ２に、優先度情報のデ−タテ−ブル１２ＤＴ７を追加した事例である。
【０１１５】
前記優先度情報のデ−タテ−ブル１２ＤＴ７は、図示のように、各監視装置（即ち、監視装置１，監視装置２，監視装置３）毎に、優先度「１」「３」「２」を登録してあるものである。
【０１１６】
各監視装置１２１，１２２，１２３において、監視画面を表示するための操作が行われた際に、前述のこの発明の実施の形態１〜３により前記監視画面の表示が抑制された場合には、監視画面を表示するための操作が行われた監視装置は、前記デ−タテ−ブル１２ＤＴ２に保存されている表示画面情報とデ−タテ−ブル１２ＤＴ７に保存されている優先度情報とを参照し、表示が抑制された原因となった監視画面を表示している他の監視装置が自監視装置よりも優先度が低い監視装置である場合に、前記表示が抑制された原因となった監視画面を消去する消去命令を、当該優先度の高い自監視装置から前記優先度の低い他の監視装置に対して送信する。当該消去命令を受けた前記優先度の低い他の監視装置は、当該消去命令に基づいて、消去命令対象の監視画面（即ち、表示が抑制された原因となった監視画面）を消去する。なお、監視画面を消去する場合は、消去する監視装置は、消去する監視画面の情報を、他の全ての監視装置に送信する。
【０１１７】
具体的には、例えば、図７の表示画面情報のデ−タテ−ブル１２ＤＴ２に例示されているように、監視装置１２３において監視画面１及び監視画面２が表示されている状態において、監視装置１２１で、監視画面１及び監視画面４を表示している状態において監視画面２を追加表示する操作が行われた場合、監視画面２は、監視画面情報のデ−タテ−ブル１２ＤＴ１における同一画面同時表示枚数が１であるので、監視画面情報のデ−タテ−ブル１２ＤＴ１における同一画面同時表示枚数での制限のみに依存すれば監視装置１２１での監視画面２の表示は抑制されるが、優先度情報のデ−タテ−ブル１２ＤＴ７における表示の優先度は監視装置１２３より監視装置１２１の方が高いので、監視装置１２３での監視画面２の表示は、図に×印をしてあるように消去され、監視装置１２１に監視画面２が表示される。なお、前記消去は自動的に行われるようにしてもよく、また、人為的操作により行われるようにしてもよい。
【０１１８】
なお、前述の表示が抑制された原因となった監視画面の識別の手段は、例えば、表示画面情報のデ−タテ−ブル１２ＤＴ２における当該画面の種別の表示の色を他とは異なる色にしたり、フリッカさせたり、或は背景色を他とは異なる色にする他、表示が抑制された旨およびその原因となった監視画面の種別を文字表示するなど、各種の手段があり、どのような手段であってもよい。
【０１１９】
また、前述のこの発明の実施の形態４での優先表示の機能は、同一画面を同時に表示する同一画面同時表示枚数を所定数以内に抑制する場合のみでなく、前述のこの発明の実施の形態２のように同一信号を同時に表示する信号数を施設毎に所定数以内に抑制する場合や、前述のこの発明の実施の形態３のように同一信号を同時に表示する動的に表示変更可能な信号数を施設毎に所定数以内に抑制する場合にも適用できる。
【０１２０】
この発明の実施の形態４では、前述のように、前記所定数を超える場合は前記各監視装置の優先度に応じ優先度が高い監視装置の表示を優先し優先度が低い監視装置の表示は抑制するので、使用頻度や重要度の高い監視装置では優先的に監視画面や信号の表示を行うことができる。
【０１２１】
実施の形態５．
以下この発明の実施の形態４を、動作フロ−を示す図８によって説明する。
【０１２２】
この発明の実施の形態５は、前述のこの発明の実施の形態１〜３における監視画面や信号の表示の抑制機能を、一時的に中止（解除）する機能を各監視装置（即ち、図１，図３，図５における監視装置１２１，監視装置１２２，監視装置１２３，監視装置１２ｎ）設けたもので、図８に示してあるように、各監視装置で監視画面の表示操作が行われた場合（ステップＳＴ８１）、各監視装置の何れにおいても前記抑制機能を一時的に中止（解除）する機能を実行しない場合は、前記抑制機能は有効であり、当該抑制機能が有効な場合は（ステップＳＴ８２）、各監視装置において前述のこの発明の実施の形態１〜３における監視画面や信号の表示の抑制機能の処理が実行され（ステップＳＴ８３）、或る監視装置で前記抑制機能を一時的に中止（解除）する機能を実行した場合は前記抑制機能は有効でなくなり、当該抑制機能が有効でなくなった場合は（ステップＳＴ８３）、前記抑制機能を一時的に中止（解除）する機能を実行した監視装置が、他の監視装置に最優先して監視画面や信号の表示を行う（ステップＳＴ８４）。
【０１２３】
なお、或る監視装置で前記抑制機能を一時的に中止する機能を実行した場合は、その旨の情報が他の全ての監視装置に送られ、他の全ての監視装置には当該情報が表示される。
【０１２４】
この発明の実施の形態４では、前述のように、前記抑制を一時的に中止（解除）できるようにしてあるので、例えば被監視側の施設における何らかの異常状態が発生し緊急対応が必要な場合などにおいて、対応する監視装置で前記抑制がかかることなく表示を行え、当該対応を遅延無く的確に行うことが可能となる。
【産業上の利用可能性】
【０１２５】
前述のこの発明の実施の形態は、水処理プラントに適用する場合の事例として説明してあるが、この発明は、水処理プラントに限らず、河川の監視、他、各種のプラント、システム、設備、等の監視にも適用できる。
【図面の簡単な説明】
【０１２６】
【図１】この発明における実施の形態１を示す図で、監視システム全体の構成を示す図である。
【図２】この発明における実施の形態１を示す図で、主要部の動作説明をするためのフロ−図である。
【図３】この発明における実施の形態２を示す図で、監視システム全体の構成を示す図である。
【図４】この発明における実施の形態２を示す図で、主要部の動作説明をするためのフロ−図である。
【図５】この発明における実施の形態３を示す図で、監視システム全体の構成を示す図である。
【図６】この発明における実施の形態３を示す図で、主要部の動作説明をするためのフロ−図である。
【図７】この発明における実施の形態４を示す図で、監視システム全体の構成を示す図である。
【図８】この発明における実施の形態５を示す図で、主要部の動作説明をするためのフロ−図である。
【符号の説明】
【０１２７】
１    監視側、
１２１    監視装置、
１２２    監視装置、
１２３    監視装置、
１２ＤＴ１    監視画面情報のデ−タテ−ブル、
１２ＤＴ２    表示画面情報のデ−タテ−ブル、
１２ＤＴ３    監視画面情報のデ−タテ−ブル、
１２ＤＴ４    最大信号表示数のデ−タテ−ブル、
１２ＤＴ５    表示画面情報のデ−タテ−ブル、
１２ＤＴ６    最大信号表示数のデ−タテ−ブル、
１２ＤＴ７    優先度情報のデ−タテ−ブル、
２    被監視側、
２１    施設Ａ、
２１    施設Ｂ、
２１    施設Ｃ、
３    通信回線。
【図１】
2005151139.tif 000003
【図２】
2005151139.tif 000004
【図３】
2005151139.tif 000005
【図４】
2005151139.tif 000006
【図５】
2005151139.tif 000007
【図６】
2005151139.tif 000008
【図７】
2005151139.tif 000009
【図８】
2005151139.tif 000010